(57)【要約】【課題】刈払機の操作棹の先端部に取り付けられる回転刃ユニットにおいて、回転基板から揺動刃が離脱するのを防ぐ。【解決手段】回転刃ユニット２０は、刈払機１０の操作棹１１の先端部に回転自在に取り付けられる回転基板２１と、回転基板２１に揺動自在に支持された揺動刃２２と、揺動刃２２を回転基板２１に対して揺動自在に支持する揺動支持軸２３とを備え、揺動刃２２が回転基板２１から離脱するのを防ぐ離脱防止手段３０を備えた。離脱防止手段３０は、揺動刃２２に固定されて回転基板２１を貫通する離脱防止軸３１と、離脱防止軸３１が揺動刃２２の揺動に応じて移動するように挿通される回転基板２１に形成した離脱防止溝３２とを有し、揺動支持軸２３が折損しても、離脱防止軸３１が離脱防止溝３２に係合して、揺動刃２２が回転基板２１から離脱しないようにした。【選択図】図３
2015146771.tif 000002
【特許請求の範囲】
【請求項１】
刈払機の操作棹の先端部に回転自在に取り付けられる回転基板と、
前記回転基板に揺動自在に支持された揺動刃と、
前記揺動刃を前記回転基板に対して揺動自在に支持する揺動支持軸とを備えた刈払機に用いる回転刃ユニットであり、
前記回転刃ユニットは前記揺動刃が前記回転基板から離脱するのを防ぐ離脱防止手段を備えたことを特徴とする回転刃ユニット。
【請求項２】
請求項１に記載の回転刃ユニットにおいて、
前記離脱防止手段は、前記揺動刃に固定されて前記回転基板を貫通する離脱防止軸と、前記離脱防止軸が前記揺動刃の揺動に応じて移動するように挿通される前記回転基板に形成した離脱防止溝とを有したことを特徴とする回転刃ユニット。
【請求項３】
請求項１に記載の回転刃ユニットにおいて、
前記離脱防止手段は、一端が前記揺動刃に固定されるとともに他端が前記回転基板に固定されたワイヤよりなることを特徴とする回転刃ユニット。
【請求項４】
請求項３に記載の回転刃ユニットにおいて、
前記ワイヤの長手方向の中間部を前記揺動支持軸に巻き付けたことを特徴とする回転刃ユニット。
【発明の詳細な説明】
【技術分野】
【０００１】
本発明は、刈払機の操作棹の先端部に取り付けられる回転刃ユニットに関し、特に、刈払機の操作棹の先端部に回転自在に取り付けられる回転基板に揺動自在に揺動刃を取り付けた回転刃ユニットに関する。
【背景技術】
【０００２】
特許文献１には、草、芝等を刈り払う刈払機が開示されている。この刈払機は、作業者が把持して使用する操作棹と、操作棹の基端部に設けた原動機と、操作棹の先端部に設けられて原動機の駆動を受けて回転する回転刃と、操作棹内に回転可能に支持されて原動機の駆動を回転刃に伝達する動力伝達軸とを備えている。このような刈払機において、操作棹の先端部に設けた回転刃として、金属製の円板の周部に刃部を有した回転刃や、操作棹の先端部に取り付けたリールから外側に導出したナイロンコードを刃部としたナイロンコード式の回転刃が用いられている。金属製の円板形をした回転刃を用いたときには、回転刃が石やコンクリート等の固い構造物に接触したときに、操作棹に対して大きな反動が加えられるので、構造物の周囲にて草、芝を刈り払う、いわゆる際刈りには適していなかった。また、ナイロンコード式の回転刃を用いたときには、構造物の周囲で際刈りをしたときに、ナイロンコードが構造物に接触しても、操作棹に対して反動が加わることがないが、ナイロンコードは茎の太い草等を刈り払うのに適していなかった。
【０００３】
これらの両方の課題を解決する回転刃として、図５に示したように、操作棹の先端部に回転自在に取り付けられる回転基板１０１に揺動自在に金属製の揺動刃１０２を取り付けた回転刃ユニット１００がこれまでに提案されている。この回転刃ユニット１００においては、回転基板１０１を回転させると、揺動刃１０２が閉じた位置（図５の実線にて示す）から遠心力にて開く位置（図５の二点鎖線にて示す）まで揺動し、回転基板１０１とともに揺動する揺動刃１０２によって芝、草等が刈り払われる。この回転刃ユニット１００であれば、構造物の周囲で際刈りをしたときに、揺動刃１０２が構造物に接触しても、揺動刃１０２が揺動することで操作棹に対して大きな反動が加えられることを防ぐことができるとともに、金属製の円板形をした回転刃と同様に茎の太い草等を刈り払うこともできる。
【先行技術文献】
【特許文献】
【０００４】
【特許文献１】特開２０１３−１１９８４７号公報
【発明の概要】
【発明が解決しようとする課題】
【０００５】
上述した図５に示した回転刃ユニット１００を長期間使用したときには、揺動刃１０２を回転自在に回転基板１０１に支持するボルトよりなる揺動支持軸１０３が折損するおそれがあり、揺動支持軸１０３が折損すると揺動刃１０２が回転基板１０１から離脱するおそれがあった。本発明は、刈払機の操作棹の先端部に取り付けられる回転刃ユニットにおいて、回転基板から揺動刃が離脱するのを防ぐことを目的とする。
【課題を解決するための手段】
【０００６】
上記課題を解決するために、本発明は、刈払機の操作棹の先端部に回転自在に取り付けられる回転基板と、回転基板に揺動自在に支持された揺動刃と、揺動刃を回転基板に対して揺動自在に支持する揺動支持軸とを備えた刈払機に用いる回転刃ユニットであり、回転刃ユニットは揺動刃が回転基板から離脱するのを防ぐ離脱防止手段を備えたことを特徴とする回転刃ユニットを提供するものである。
【０００７】
上記のように構成した回転刃ユニットにおいては、揺動刃が回転基板から離脱するのを防ぐ離脱防止手段を備えたので、揺動支持軸が折損しても、揺動刃が離脱防止手段によって回転基板から離脱しないようになった。
【０００８】
上記のように構成した回転刃ユニットにおいては、離脱防止手段の一実施形態として、揺動刃に固定されて回転基板を貫通する離脱防止軸と、離脱防止軸が揺動刃の揺動に応じて移動するように挿通される回転基板に形成した離脱防止溝とを有するようにしてもよい。また、離脱防止手段の他の実施形態として、一端が揺動刃に固定されるとともに他端が回転基板に固定されたワイヤを用いてもよい。この場合には、ワイヤの長手方向の中間部を揺動支持軸に巻き付けるのが好ましい。
【図面の簡単な説明】
【０００９】
【図１】本発明の回転刃ユニットを取り付けた刈払機の斜視図である。
【図２】回転刃ユニットを示す（ａ）平面図と（ｂ）側面図である。
【図３】揺動支持軸が破損したときの回転刃ユニットを示す平面図である。
【図４】他の実施形態の回転刃ユニットを示す平面図である。
【図５】従来の回転刃ユニットを示す平面図である。
【発明を実施するための最良の形態】
【００１０】
以下、本発明の回転刃ユニットを取り付けた刈払機を添付図面を参照して説明する。図１に示したように、刈払機１０は、前後方向に延びる細長い円筒形をした操作棹１１と、操作棹１１の先端部（前端部）に設けたモータユニット１２と、操作棹１１の基端部（後端部）に設けたコントロールユニット１４とを備えている。モータユニット１２は操作棹１１の先端部に固定されたモータハウジング１３と、モータハウジング１３内に設けた電動モータ（図示省略）とを備えており、電動モータの駆動によって回転する駆動軸（図示省略）はモータハウジング１３から下側に突出して設けられている。駆動軸には後述する本願発明の回転刃ユニット２０が着脱可能に取り付けられる。コントロールユニット１４は操作棹１１の基端部に固定したコントロールハウジング１５を備え、コントロールハウジング１５内には電動モータの作動を制御するコントローラが設けられている。また、コントロールハウジング１５の後端部には電動モータに電気を供給するバッテリパック１６が着脱可能に取り付けられている。操作棹１１の前後方向の中間部には作業者が把持する略Ｕ字形をした操作ハンドル１７が取り付けられている。操作ハンドル１７の両端部にはグリップ１８Ｒ，１８Ｌが設けられており、右側のグリップ１８Ｒには電動モータを駆動させるスイッチ１９が設けられている。
【００１１】
本願発明の回転刃ユニット２０は操作棹１１の先端部（前端部）にモータユニット１２を介して着脱可能に固定される回転基板２１と、回転基板２１に揺動自在に支持された揺動刃２２と、揺動刃２２を回転基板２１に対して揺動自在に支持する揺動支持軸２３とを備えている。この回転刃ユニット２０は、金属製の揺動刃２２を用いることで、金属製の円板形をした回転刃と同様に茎の太い草等を刈払うことを可能とするとともに、揺動刃２２を揺動自在に回転基板２１に支持したことで、建物等の構造物の周囲で際刈りをしたときに、揺動刃２２が構造物に接触しても、操作棹１１に対して大きな反動が加えられるのを防ぐことを可能としたものである。
【００１２】
回転基板２１は長方形状をした各角部を大きく丸めた金属製の板金部材よりなり、モータハウジング１３を介して操作棹１１の先端部に着脱可能に固定されている。回転基板２１の中央部にはモータハウジング１３内の電動モータの駆動軸に取り付けるための取付孔２１ａが形成されている。
【００１３】
回転基板２１の長手方向の両側部には揺動刃２２が揺動自在に支持されている。揺動刃２２は略円弧形をした金属製の板金部材よりなり、長手方向の中央部から少し基端側位置がボルトよりなる揺動支持軸２３によって回転基板２１と直交する方向を軸線回りに揺動自在に支持されている。揺動支持軸２３は回転基板２１及び揺動刃２２の各々に形成した貫通孔に挿通され、先端部に締結固定したナットにより抜け止めされている。また、回転基板２１には揺動刃２２がモータハウジング１３に接触するのを防ぐストッパ２４が設けられている。
【００１４】
回転刃ユニット２０は揺動刃２２が回転基板２１から離脱するのを防ぐ離脱防止手段３０を備えている。離脱防止手段３０は揺動刃２２に固定されて回転基板２１を貫通する離脱防止軸３１と、離脱防止軸３１が揺動刃２２の揺動に応じて移動するように挿通される回転基板２１に形成した離脱防止溝３２とを備えている。離脱防止軸３１はボルトを用いたものであり、揺動刃２２の基端部に固定されている。離脱防止軸３１は回転基板２１に形成した離脱防止溝３２に挿通され、先端部に締結固定したナットにより抜け止めされている。離脱防止溝３２は円弧形をした貫通孔よりなり、揺動刃２２の基端部に設けた離脱防止軸３１が揺動支持軸２３を中心に揺動する揺動刃２２の揺動に応じて移動可能となるように形成されている。
【００１５】
上記のように構成した刈払機１０においては、作業者が両手で操作ハンドル１７の両グリップ１８Ｒ，１８Ｌを把持し、右手でスイッチ１９を操作して電動モータを駆動させると、回転刃ユニット２０の回転基板２１が回転し、回転基板２１に揺動自在に支持した揺動刃２２が遠心力よって図２の実線位置から二点鎖線の位置まで開くように揺動する。回転刃ユニット２０を地面に沿って左右に揺動させると、回転基板２１とともに回転する揺動刃２２によって地面から生える草、芝等が刈り取られる。
【００１６】
上記のように構成した刈払機１０においては、金属製の揺動刃２２を用いることで、金属製の円板形をした回転刃と同様に茎の太い草等を刈り払うことを可能としつつ、揺動刃２２を揺動自在に回転基板２１に支持したことで、建物等の構造物の周囲で際刈りをしたときに、揺動刃２２が構造物に接触しても、揺動刃２２が揺動支持軸２３を中心に揺動するために、操作棹１１に対して大きな反動が加えられるのを防ぐことを可能としている。なお、揺動刃２２には金属製の板金部材を用いたが、これに限られるものでなく、硬質で耐久性の高い樹脂材またはセラミック等の他の部材を用いた板材を用いたものであってもよい。
【００１７】
この回転刃ユニット２０においては、揺動刃２２が回転基板２１から離脱するのを防ぐ離脱防止手段３０を備えている。離脱防止手段３０は、揺動刃２２の基端部に固定されて回転基板２１を貫通する離脱防止軸３１と、離脱防止軸３１が揺動刃２２の揺動に応じて移動するように挿通される回転基板２１に形成した離脱防止溝３２とからなる。図３に示したように、この回転刃ユニット２０の回転基板２１を回転させているときに、揺動刃２２は外側に開くように揺動しており（図３の実線にて示す）、このとき、揺動支持軸２３が折損または抜け落ちたとしても、揺動刃２２に固定した離脱防止軸３１が離脱防止溝３２に係合することで、揺動刃２２が回転基板２１から離脱するのを防ぐことができる（図３の二点鎖線にて示す）。
【００１８】
次に、回転刃ユニット２０の他の離脱防止手段３０Ａについて説明する。図４に示したように、離脱防止手段３０Ａは、一端が揺動刃２２に固定されるとともに、他端が回転基板に固定された金属製のワイヤ３３Ａを用いたものである。また、ワイヤ３３Ａは長手方向の中間部が揺動支持軸２３に巻き付けられたねじりばねとして機能しており、ねじりばねとして機能したワイヤ３３Ａは揺動刃２２を閉じる位置（図４の実線にて示す）に付勢している。回転基板２１を回転させると、揺動刃２２は遠心力によってワイヤ３３Ａのねじりばねによる付勢力に抗して開いた位置（図４の二点鎖線にて示す）まで揺動する。
【００１９】
このように構成した回転刃ユニット２０においても、回転基板２１を回転させているときに、揺動刃２２は外側に開くように揺動し、このとき、揺動支持軸２３が折損または抜け落ちたとしても、一端が揺動刃２２に固定されるとともに他端が回転基板２１に固定されたワイヤ３３Ａにより、揺動刃２２が回転基板２１から離脱するのを防ぐことができる。また、ワイヤ３３Ａを揺動刃２２の長手方向の中間部に固定したので、揺動刃２２が基端部で破損したときであっても、揺動刃２２が回転基板２１から離脱するのを防ぐことができる。なお、ワイヤ３３Ａを揺動刃２２の長手方向の先端部に固定させてもよく、このようにしたときには、揺動刃２２が基端部から中間部の間で破損したときでも、揺動刃２２が回転基板２１から離脱するのを防ぐことができる。また、この実施形態の離脱防止手段３０Ａは金属製のワイヤ３３Ａの長手方向の中間部を揺動支持軸２３に巻き付けてねじりばねとして機能させたが、本発明はこれに限られることなく、ワイヤの長手方向の中間部を揺動支持軸２３に巻き付けることなく揺動刃２２と回転基板２１とを連結させたものであってもよい。
【００２０】
上記の実施形態では、回転刃ユニット２０を取り付ける刈払機１０は、操作棹１１の先端部に電動モータを備えるものであるが、操作棹１１の後端部に電動モータまたはエンジン等の原動機を備え、操作棹１１内に設けた動力伝達軸により回転基板２１を回転させるものであってもよい。
【００２１】
上記の実施形態においては、回転刃ユニット２０は２つの揺動刃２２を備えたが、本発明はこれに限られるものでなく、揺動刃２２を１つまたは３つ以上としてもよく、このようにしたときにも同様の作用効果を得ることができる。
【００２２】
上記の実施形態においては、揺動支持軸２３及び離脱防止軸３１はボルトを用いたものであるが、本発明はこれに限られるものでなく、棒状の軸部材を用いたものであってもよく、このようにしたときにも同様の作用効果を得ることができる。
【符号の説明】
【００２３】
１０…刈払機、１１…操作棹、２０…回転刃ユニット、２１…回転基板、２２…揺動刃、２３…揺動支持軸、３０，３０Ａ…離脱防止手段、３１…離脱防止軸、３２…離脱防止溝、３３Ａ…ワイヤ。
【図１】
2015146771.tif 000003
【図２】
2015146771.tif 000004
【図３】
2015146771.tif 000005
【図４】
2015146771.tif 000006
【図５】
2015146771.tif 000007